Podtech/llm-jp-corpus-v4-ja_patent huggingface dataset:
【手続補正書】
【提出日】平成22年8月20日(2010.8.20)
【手続補正１】
【補正対象書類名】特許請求の範囲
【補正対象項目名】請求項１
【補正方法】変更
【補正の内容】
【請求項１】
照明光を照射して被写体を撮像した対象画像の画素値をもとに前記被写体の分光特性を推定する画像処理装置において、
前記照明光を照射した状態で背景を撮像した照明画像の画素値に基づいて、画素値の補正を行う際の補正係数を算出する補正係数算出手段と、
前記補正係数算出手段によって算出された前記補正係数を用いて、前記対象画像にシェーディング補正処理を施す補正手段と、
前記シェーディング補正処理を施した対象画像を構成する画素の観測ノイズ特性を、前記画素に対する前記補正係数に基づいて決定するノイズ特性決定手段と、
前記ノイズ特性決定手段によって決定された前記観測ノイズ特性をもとに推定行列を算出し、算出した推定行列を用いて前記画素に対応する被写体位置の分光特性値を推定する分光特性推定手段と、
を備えることを特徴とする画像処理装置。
【手続補正２】
【補正対象書類名】特許請求の範囲
【補正対象項目名】請求項１２
【補正方法】変更
【補正の内容】
【請求項１２】
コンピュータに、照明光を照射して被写体を撮像した対象画像の画素値をもとに前記被写体の分光特性を推定させるための画像処理プログラムであって、
前記照明光を照射した状態で背景を撮像した照明画像の画素値に基づいて、画素値の補正を行う際の補正係数を算出する補正係数算出ステップと、
前記補正係数算出ステップによって算出された前記補正係数を用いて、前記対象画像にシェーディング補正処理を施す補正ステップと、
前記シェーディング補正処理を施した対象画像を構成する画素の観測ノイズ特性を、前記画素に対する前記補正係数に基づいて決定するノイズ特性決定ステップと、
前記ノイズ特性決定ステップによって決定された前記観測ノイズ特性をもとに推定行列を算出し、算出した推定行列を用いて前記画素に対応する被写体位置の分光特性値を推定する分光特性推定ステップと、
を実行させることを特徴とする画像処理プログラム。
【手続補正３】
【補正対象書類名】明細書
【補正対象項目名】０００１
【補正方法】変更
【補正の内容】
【０００１】
本発明は、照明光を照射して被写体を撮像した対象画像の画素値をもとに被写体の分光特性を推定する画像処理装置および画像処理プログラムに関する。
【手続補正４】
【補正対象書類名】明細書
【補正対象項目名】００２３
【補正方法】変更
【補正の内容】
【００２３】
上述した課題を解決し、目的を達成するため、本発明に係る画像処理装置は、照明光を照射して被写体を撮像した対象画像の画素値をもとに前記被写体の分光特性を推定する画像処理装置において、前記照明光を照射した状態で背景を撮像した照明画像の画素値に基づいて、画素値の補正を行う際の補正係数を算出する補正係数算出手段と、前記補正係数算出手段によって算出された前記補正係数を用いて、前記対象画像にシェーディング補正処理を施す補正手段と、前記シェーディング補正処理を施した対象画像を構成する画素の観測ノイズ特性を、前記画素に対する前記補正係数に基づいて決定するノイズ特性決定手段と、前記ノイズ特性決定手段によって決定された前記観測ノイズ特性をもとに推定行列を算出し、算出した推定行列を用いて前記画素に対応する被写体位置の分光特性値を推定する分光特性推定手段と、を備えることを特徴とする。
【手続補正５】
【補正対象書類名】明細書
【補正対象項目名】００２４
【補正方法】変更
【補正の内容】
【００２４】
また、本発明にかかる画像処理プログラムは、コンピュータに、照明光を照射して被写体を撮像した対象画像の画素値をもとに前記被写体の分光特性を推定させるための画像処理プログラムであって、前記照明光を照射した状態で背景を撮像した照明画像の画素値に基づいて、画素値の補正を行う際の補正係数を算出する補正係数算出ステップと、前記補正係数算出ステップによって算出された前記補正係数を用いて、前記対象画像にシェーディング補正処理を施す補正ステップと、前記シェーディング補正処理を施した対象画像を構成する画素の観測ノイズ特性を、前記画素に対する前記補正係数に基づいて決定するノイズ特性決定ステップと、前記ノイズ特性決定ステップによって決定された前記観測ノイズ特性をもとに推定行列を算出し、算出した推定行列を用いて前記画素に対応する被写体位置の分光特性値を推定する分光特性推定ステップと、を実行させることを特徴とする。
【手続補正書】
【提出日】平成22年8月12日(2010.8.12)
【手続補正１】
【補正対象書類名】特許請求の範囲
【補正対象項目名】全文
【補正方法】変更
【補正の内容】
【特許請求の範囲】
【請求項１】
基板に第１のＳＡＷ共振子と第２のＳＡＷ共振子とが振動の結合領域を挟んで第１方向に並列に配置された横結合型の２重モードＳＡＷ共振子を有し、かつ前記結合領域に溝部が設けられたＳＡＷセンサ素子を備え、
前記基板の前記第１方向の端部の少なくとも一方において前記ＳＡＷセンサ素子が支持され、
前記２重モードＳＡＷ共振子の基本波対称モードＳ０における共振周波数と基本波斜対称モードＡ０における共振周波数との差を検出することを特徴とするＳＡＷセンサ。
【請求項２】
請求項１に記載のＳＡＷセンサにおいて、
前記ＳＡＷセンサ素子の一方の前記端部が自由端であることを特徴とするＳＡＷセンサ。
【請求項３】
請求項１または２に記載のＳＡＷセンサにおいて、
前記２重モードＳＡＷ共振子の前記基本波対称モードＳ０における共振周波数と前記基本波斜対称モードＡ０における共振周波数との差の検出において、２モード発振回路とアップアンドダウンカウンタとが用いられることを特徴とするＳＡＷセンサ。
【手続補正２】
【補正対象書類名】明細書
【補正対象項目名】発明の名称
【補正方法】変更
【補正の内容】
【発明の名称】ＳＡＷセンサ
【手続補正３】
【補正対象書類名】明細書
【補正対象項目名】０００６
【補正方法】変更
【補正の内容】
【０００６】
［適用例１］本適用例のＳＡＷセンサであって、一つの水晶基板に第１のＳＡＷ共振子と第２のＳＡＷ共振子とが振動の結合領域を挟んで並列に配置されたＳＨ波を利用する横結合型の２重モードＳＡＷ共振子を有し、かつ前記結合領域の前記水晶基板に、前記第１のＳＡＷ共振子および前記第２のＳＡＷ共振子の電極指に略直交する方向に溝部が形成されたＳＡＷセンサ素子を備え、前記ＳＡＷセンサ素子の前記溝部に略平行な辺を有する端部において前記ＳＡＷセンサ素子が支持され、前記２重モードＳＡＷ共振子の基本波対称モードＳ０における共振周波数と基本波斜対称モードＡ０における共振周波数との差を検出することで前記ＳＡＷセンサ素子に加わる外力を検出することを特徴とするＳＡＷセンサ。また、他の態様では、基板に第１のＳＡＷ共振子と第２のＳＡＷ共振子とが振動の結合領域を挟んで第１方向に並列に配置された横結合型の２重モードＳＡＷ共振子を有し、かつ前記結合領域に溝部が設けられたＳＡＷセンサ素子を備え、前記基板の前記第１方向の端部の少なくとも一方において前記ＳＡＷセンサ素子が支持され、前記２重モードＳＡＷ共振子の基本波対称モードＳ０における共振周波数と基本波斜対称モードＡ０における共振周波数との差を検出することを特徴とする。
【手続補正４】
【補正対象書類名】明細書
【補正対象項目名】００１０
【補正方法】変更
【補正の内容】
【００１０】
［適用例３］適用例１または適用例２のＳＡＷセンサであって、前記２重モードＳＡＷ共振子の前記基本波対称モードＳ０における共振周波数と前記基本波斜対称モードＡ０における共振周波数との差の検出において、２モード発振回路とアップアンドダウンカウンタとが用いられることを特徴とするＳＡＷセンサ。
【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
（Ｓ）−８−［４−（２−ブトキシエトキシ）フェニル］−１−イソブチル−Ｎ−（４−｛［（１−プロピル−１Ｈ−イミダゾール−５−イル）メチル］スルフィニル｝フェニル）−１，２，３，４−テトラヒドロ−１−ベンゾアゾシン−５−カルボキサミド。
【請求項２】
（Ｓ）−８−［４−（２−ブトキシエトキシ）フェニル］−１−イソブチル−Ｎ−（４−｛［（１−プロピル−１Ｈ−イミダゾール−５−イル）メチル］スルフィニル｝フェニル）−１，２，３，４−テトラヒドロ−１−ベンゾアゾシン−５−カルボキサミド  塩酸塩。
【請求項３】
（Ｓ）−８−［４−（２−ブトキシエトキシ）フェニル］−１−イソブチル−Ｎ−（４−｛［（１−プロピル−１Ｈ−イミダゾール−５−イル）メチル］スルフィニル｝フェニル）−１，２，３，４−テトラヒドロ−１−ベンゾアゾシン−５−カルボキサミド  メタンスルホン酸塩。
【請求項４】
請求項１に記載の化合物と、
薬学的に許容されうる担体、賦形剤、および／または希釈剤と
を含有する医薬組成物。
【請求項５】
請求項２に記載の化合物と、
薬学的に許容されうる担体、賦形剤、および／または希釈剤と
を含有する医薬組成物。
【請求項６】
請求項３に記載の化合物と
薬学的に許容されうる担体、賦形剤、および／または希釈剤と
を含有する医薬組成物。
【請求項７】
ＨＩＶ感染症治療用である請求項４に記載の医薬組成物。
【請求項８】
ＨＩＶ感染症がＡＩＤＳである請求項７に記載の医薬組成物。
【請求項９】
逆転写酵素抑制剤、プロテアーゼ阻害剤、またはそれの組み合わせを更に含有する請求項７に記載の医薬組成物。
【請求項１０】
ＨＩＶ感染症治療用である請求項５に記載の医薬組成物。
【請求項１１】
ＨＩＶ感染症がＡＩＤＳである請求項１０に記載の医薬組成物。
【請求項１２】
逆転写酵素抑制剤、プロテアーゼ阻害剤、またはそれの組み合わせを更に含有する請求項１０に記載の医薬組成物。
【請求項１３】
ＨＩＶ感染症治療用である請求項６に記載の医薬組成物。
【請求項１４】
ＨＩＶ感染症がＡＩＤＳである請求項１３に記載の医薬組成物。
【請求項１５】
逆転写酵素抑制剤、プロテアーゼ阻害剤、またはそれの組み合わせを更に含有する請求項１３に記載の医薬組成物。
【請求項１６】
動物である対象におけるＨＩＶ感染症の治療用の医薬を製造するための、請求項１〜３のいずれか１項に記載の化合物の使用。
【請求項１７】
（Ｓ）−８−［４−（２−ブトキシエトキシ）フェニル］−１−イソブチル−Ｎ−（４−｛［（１−プロピル−１Ｈ−イミダゾール−５−イル）メチル］スルフィニル｝フェニル）−１，２，３，４−テトラヒドロ−１−ベンゾアゾシン−５−カルボキサミド、もしくはその薬学的に許容されうる塩、またはそれらのエステルを含有する、
ＣＣＲ２受容体関連疾患または疾病の治療用の医薬組成物。
【請求項１８】
ＣＣＲ２受容体関連疾患または疾病が多発性硬化症、糖尿病性疾患、糖尿病性神経障害、慢性疼痛、炎症性疾患、アテローム性動脈硬化症、関節リウマチ、または再狭窄である請求項１７に記載の医薬組成物。
【請求項１９】
前記ＣＣＲ２受容体関連疾患または疾病が糖尿病性疾患である請求項１８に記載の医薬組成物。
【請求項２０】
ビグアナイド剤、スルホニル尿素剤、α−グルコシダーゼ阻害薬、糖尿病性合併症治療薬、もしくはインスリン抵抗性改善薬、またはそれらの組み合わせを更に含有する請求項１９に記載の医薬組成物。
【請求項２１】
前記のビグアナイド剤、スルホニル尿素剤、α−グルコシダーゼ阻害薬、糖尿病性合併症治療薬、もしくはインスリン抵抗性改善薬が、トルブタミド、クロルプロパミド、グリクロピラミド、アセトヘキサミド、トラザミド、グリベンクラミド、グリブゾール、塩酸メトホルミン、塩酸ブホルミン、ボグリボース、アカルボース、ピオグリタゾン、トログリタゾン、ロシグリタゾン、ナテグリニド、インスリン類、グルカゴン、エパルレスタット、チオクト酸、キネダック、ペンフィル、ヒューマリン、オイグルコン、グリミクロン、ダオニール、ノボリン、モノタード、ジメリン、ラスチノン、バシルコン、デアメリンＳ、イスジリン類からなる群より選択される請求項２０に記載の医薬組成物。
【請求項２２】
（Ｓ）−８−［４−（２−ブトキシエトキシ）フェニル］−１−イソブチル−Ｎ−（４−｛［（１−プロピル−１Ｈ−イミダゾール−５−イル）メチル］スルフィニル｝フェニル）−１，２，３，４−テトラヒドロ−１−ベンゾアゾシン−５−カルボキサミドを合成する方法であって、
（ｉ）８−[４−（２−ブトキシエトキシ）フェニル]−１−イソブチル−１，２，３，４−テトラヒドロ−１−ベンゾアゾシン−５−カルボン酸をジメチルホルムアミドおよびテトラヒドロフランと混合して、第１溶液を調製すること、
（ｉｉ）前記第１溶液に塩化チオニルを添加し、撹拌すること、
（ｉｉｉ）（−）−４−｛[（１−プロピル−１Ｈ−イミダゾール−５−イル）メチル]スルフィニル｝フェニルアミンをテトラヒドロフランおよびピリジンと混合して、第２溶液を調製すること、
（ｉｖ）前記第１溶液を前記第２溶液に添加して反応混合物を調製し、当該反応混合物を撹拌すること、
（ｖ）クエン酸水溶液を前記の撹拌された反応混合物に添加すること、
（ｖｉ）前記の撹拌された反応混合物からテトラヒドロフランを減圧下で留去すること、
（ｖｉｉ）前記反応混合物を酢酸エチルで抽出すること、
（ｖｉｉｉ）前記（ｖｉｉ）の工程で得た抽出物を、含水溶媒、重炭酸ナトリウム、および水で順次洗浄すること、および
（ｉｘ）前記溶媒を留去して、（Ｓ）−８−［４−（２−ブトキシエトキシ）フェニル］−１−イソブチル−Ｎ−（４−｛［（１−プロピル−１Ｈ−イミダゾール−５−イル）メチル］スルフィニル｝フェニル）−１，２，３，４−テトラヒドロ−１−ベンゾアゾシン−５−カルボキサミドを含有する残渣を得ること
を含む方法。
【請求項２３】
（Ｓ）−８−［４−（２−ブトキシエトキシ）フェニル]−１−イソブチル−Ｎ−（４−｛[（１−プロピル−１Ｈ−イミダゾール−５−イル）メチル]スルフィニル｝フェニル）−１，２，３，４−テトラヒドロ−１−ベンゾアゾシン−５−カルボキシアミド・メタンスルホン酸塩を製造する方法であって、
（ｘ）請求項２２の（ｉｘ）の工程で得られる残渣にアセトニトリルおよび／または酢酸エチルを添加して混合物を調製すること、
（ｘｉ）前記（ｘ）の工程で得られた混合物にメタンスルホン酸を添加し、その混合物を撹拌すること、
（ｘｉｉ）前記混合物を濾過して、析出した（Ｓ）−８−［４−（２−ブトキシエトキシ）フェニル]−１−イソブチル−Ｎ−（４−｛[（１−プロピル−１Ｈ−イミダゾール−５−イル）メチル]スルフィニル｝フェニル）−１，２，３，４−テトラヒドロ−１−ベンゾアゾシン−５−カルボキシアミド・メタンスルホン酸塩の結晶を回収すること
を含む方法。
【請求項２４】
前記（ｉｉ）の工程が、約１０〜１５℃の温度で実施される請求項２２に記載の方法。
【請求項２５】
前記（ｉｖ）の工程が、約５℃以下の温度で実施される請求項２２に記載の方法。
【請求項２６】
前記（ｘｉ）の工程における撹拌が、おおよそ室温で実施される請求項２３に記載の方法。
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
軟質木材に好適に用いられ、合成樹脂を主成分とする木工用塗料であって、
木工用塗料全量に対してセルロース構造の木材繊維を有する木粉が０．５〜２５重量部含有されている木工用塗料。
【請求項２】
軟質木材の下塗りに好適に用いられ、ポリオール樹脂を主成分とする塗料主剤に、ポリイソシアネート樹脂を主成分とする硬化剤を混合する２液型の木工用塗料であって、
上記塗料主剤にはセルロース構造の木材繊維を有する木粉が添加されており、この木粉が木工用塗料全量に対して０．５〜２５重量部含有されている木工用塗料。
【請求項３】
請求項１又は２に記載の木工用塗料を含む塗膜が形成された建築材料。
【請求項４】
請求項１又は２に記載の木工用塗料を含む塗膜が形成された家具。 
【手続補正２】
【補正対象書類名】明細書
【補正対象項目名】０００８
【補正方法】変更
【補正の内容】
【０００８】
また、本発明に係る木工用塗料は、軟質木材の下塗りに好適に用いられ、ポリオール樹脂を主成分とする塗料主剤に、ポリイソシアネート樹脂を主成分とする硬化剤を混合する２液型の木工用塗料であって、上記塗料主剤にはセルロース構造の木材繊維を有する木粉が添加されており、この木粉が木工用塗料全量に対して０．５〜２５重量部含有されているである。
これによれば、特別な設備を要せず従来同様の塗装工程によって、杉材のような軟質木材に対してもその表面硬度を補う硬質の塗膜が形成される。
さらには、上記木工用塗料の塗膜が形成された建築材料や家具によれば、軟質木材であっても上記塗膜により表面硬度を高くすることができ、表面にキズが付き難いものが得られる。
【手続補正書】
【提出日】平成22年8月23日(2010.8.23)
【手続補正１】
【補正対象書類名】明細書
【補正対象項目名】０００６
【補正方法】変更
【補正の内容】
【０００６】
ところで、前記ＴＢＣ膜１４を施工後、ときとして色むらが発生する場合がある。
【手続補正２】
【補正対象書類名】明細書
【補正対象項目名】０００７
【補正方法】変更
【補正の内容】
【０００７】
このため、前記色むらを解消するために、色むらを調色する一般的な着色剤を塗布することで対応しようとすると、ガスタービンの運転温度域の高温（１５００℃以上）に晒されると着色剤が熱分解するという課題がある。
【手続補正書】
【提出日】平成21年12月25日(2009.12.25)
【手続補正１】
【補正対象書類名】明細書
【補正対象項目名】０００８
【補正方法】変更
【補正の内容】
【０００８】
流体の吸入通路と、流体の吐出通路と、前記吸入通路と前記吐出通路とを繋ぐ加圧室と、前記加圧室内の流体を前記吐出通路に圧送する加圧部材と、前記吐出通路内に設けられた吐出弁と、前記吸入通路内に設けられ、通電時に開弁する電磁弁とを有するポンプを制御する制御装置において、前記電磁弁の駆動信号に対する要求値は、ＯＮ信号出力かつ／またはＯＦＦ信号出力予定位相の規定タイミング前に再度前記駆動信号に対する要求値を演算することを特徴とする内燃機関の高圧燃料ポンプ制御装置を提供する。
【手続補正２】
【補正対象書類名】特許請求の範囲
【補正対象項目名】全文
【補正方法】変更
【補正の内容】
【特許請求の範囲】
【請求項１】
流体の吸入通路と、流体の吐出通路と、前記吸入通路と前記吐出通路とを繋ぐ加圧室と、前記加圧室内の流体を前記吐出通路に圧送する加圧部材と、前記吐出通路内に設けられた吐出弁と、前記吸入通路内に設けられ、通電時に開弁する電磁弁とを有するポンプを制御する制御装置において、
前記電磁弁の駆動信号に対する要求値は、ＯＮ信号出力かつ／またはＯＦＦ信号出力予定位相の規定タイミング前に再度前記駆動信号に対する要求値を演算することを特徴とする内燃機関の高圧燃料ポンプ制御装置。
【請求項２】
前記ポンプは、前記ポンプの吸入行程において前記吸入通路と前記加圧室との圧力差で開弁するように前記電磁弁を閉弁方向に付勢するばねを有することを特徴とする請求項１記載の高圧燃料ポンプ制御装置。
【請求項３】
前記ポンプは、前記加圧室から前記吸入通路へ流体を戻すことで吐出量を調整するポンプであることを特徴とする請求項１または２いずれか一項記載の高圧燃料ポンプ制御装置。
【請求項４】
前記要求値の再演算を行うタイミングと、前記規定タイミングとの間隔は、前記要求値の演算が終了する時間以上に設定されていることを特徴とする請求項１から３いずれか一項記載の高圧燃料ポンプ制御装置。
【請求項５】
前記要求値は、再演算を行われる前に、定時周期タイミングで演算されていることを特徴とする請求項１から４いずれか一項記載の高圧燃料ポンプ制御装置。
【請求項６】
カム角センサ出力信号を前記ポンプ駆動カム上死点にあることを特徴とする請求項１から５いずれか一項記載の制御装置。
【手続補正書】
【提出日】平成22年5月27日(2010.5.27)
【手続補正１】
【補正対象書類名】明細書
【補正対象項目名】００２７
【補正方法】変更
【補正の内容】
【００２７】
本実施形態における、プラズマアーク溶接電圧Ｖｗｂおよびプラズマアーク溶接電流Ｉｗｂのローレベルからハイレベルへの移行開始タイミングは、上述した実施形態と同様である。一方、プラズマアーク溶接電圧Ｖｗｂおよびプラズマアーク溶接電流Ｉｗｂのハイレベルからローレベルへの移行開始タイミングは、ＧＭＡアーク溶接電圧ＶｗａおよびＧＭＡアーク溶接電流Ｉｗａがローレベルに移行完了したタイミングとされている。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
第１範囲の値を取り得る第１カウンタと、
取得条件が成立した場合に前記第１カウンタの値を取得する取得手段と、
前記取得手段の取得した値を用いて当たり外れの判定を行う判定手段と、
前記判定手段の判定結果が当たりであることに基づいて、遊技者に有利な特別遊技状態に移行させる特別遊技状態移行手段と
を備えた遊技機において、
第２範囲の値を取り得る第２カウンタと、
前記第１カウンタの値を定期的に更新する第１更新処理を実行する第１実行手段と、
前記第１実行手段を有し、予め定めた第１期間を経過した場合に他の処理に割り込んで前記第１更新処理を含む割込み処理を実行する割込み処理実行手段と、
前記第２カウンタの値を更新する第２更新処理を、前記第１更新処理と非同期で実行する第２実行手段と、
前記第２更新処理の更新結果を記憶する記憶手段と、
前記第１カウンタの値がｎ巡（ｎは自然数のいずれか）した場合、前記記憶手段に記憶した値を初期値として設定する初期値設定手段と
を備え、
前記第１実行手段を、前記第１カウンタの値をｎ巡させた場合、前記初期値設定手段の設定した初期値から前記第１カウンタの値を更新する構成とし、
電源が投入された場合、前記第２実行手段が初回の第２更新処理を実行するより前に前記割込み処理実行手段が初回の割込み処理を実行する構成としたことを特徴とする遊技機。
【請求項２】
電源が投入された場合、前記第２実行手段が初回の第２更新処理を実行するより前に前記割込み処理実行手段が初回の割込み処理を実行するよう前記第２実行手段の実行タイミングを遅延させる遅延手段を設けたことを特徴とする請求項１に記載の遊技機。
【請求項３】
前記判定手段を有し、前記第１期間と異なる第２期間を経過する毎に前記当たり外れの判定を含む第２期間処理を実行する第２期間処理実行手段と、前記第２実行手段を有し、前記第２期間処理実行手段が前記第２期間処理を実行してから次に前記第２期間処理を実行するまでの第３期間内に前記第２更新処理を含む第３期間処理を繰り返し実行する第３期間処理実行手段と、を備えることを特徴とする請求項１又は請求項２に記載の遊技機。
【請求項４】
前記第２実行手段を有し、前記割込み処理実行手段が前記割込み処理を実行してから次に前記割込み処理を実行するまでの第３期間内に前記第２更新処理を含む第３期間処理を繰り返し実行する第３期間処理実行手段を備えることを特徴とする請求項１又は請求項２に記載の遊技機。
【請求項５】
前記割込み処理実行手段は、前記第２更新処理を含む割込み処理を実行するものであって、前記第２更新処理よりも先に前記第１更新処理を実行することを特徴とする請求項１乃至請求項４のいずれかに記載の遊技機。
【請求項６】
前記割込み処理が開始されてからの経過期間を把握するためのタイマと、前記経過期間が前記第１期間となった場合に第１期間経過信号を出力する出力手段と、電源が投入された場合に前記第３期間処理実行手段が前記第３期間処理を開始する前に前記タイマの更新を開始させるタイマ更新手段と、電源が投入された場合に前記第２実行手段が初回の第２更新処理を実行するより前に前記割込み処理実行手段が初回の割込み処理を実行するよう前記第２実行手段の実行タイミングを遅延させる遅延手段と、を備え、前記割込み処理実行手段を、前記第１期間経過信号が入力されている場合に前記割り込み処理を実行する構成とするとともに、前記遅延手段を、前記タイマの更新が開始されてから少なくとも前記第１期間が経過するまで待機する待機処理を実行する構成としたことを特徴とする請求項１乃至請求項５のいずれかに記載の遊技機。
【請求項７】
前記割込み処理が開始されてからの経過期間を把握するためのタイマと、前記経過期間が前記第１期間となった場合に第１期間経過信号を出力する出力手段と、電源が投入された場合に前記第３期間処理実行手段が前記第３期間処理を開始する前に前記タイマの更新を開始させるタイマ更新手段と、電源が投入された場合に前記第２実行手段が初回の第２更新処理を実行するより前に前記割込み処理実行手段が初回の割込み処理を実行するよう前記第２実行手段の実行タイミングを遅延させる遅延手段と、を備え、前記割込み処理実行手段を、前記第１期間経過信号が入力されている場合に前記割り込み処理を実行する構成とするとともに、前記遅延手段を、前記タイマの更新が開始されてから少なくとも前記第１期間経過信号が入力されるまで待機する待機処理を実行する構成としたことを特徴とする請求項１乃至請求項５のいずれかに記載の遊技機。
【請求項８】
前記取得条件が成立したか否かを判定する取得判定処理を実行する取得判定処理実行手段と、電源が投入された場合に前記第２実行手段が初回の第２更新処理を実行するより前に前記割込み処理実行手段が初回の割込み処理を実行するよう前記第２実行手段の実行タイミングを遅延させる遅延手段と、を備え、前記遅延手段は、電源が投入された場合、前記第２実行手段が初回の第２更新処理を実行するより前に前記取得判定処理実行手段が前記取得条件の成立有無を判定するよう前記第２実行手段の実行タイミングを遅延させることを特徴とする請求項１乃至請求項７のいずれかに記載の遊技機。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
画像撮像装置により取得される被検体のリファレンス断層像を記憶する記憶手段と、前記被検体の前記リファレンス断層像と同一断層面の超音波断層像を撮像する超音波撮像手段と、前記リファレンス断層像及び前記超音波断層像の対応する組織部位に少なくとも２つの基準点を設定する基準点設定手段と、前記リファレンス断層像の設定基準点間の距離をリファレンス距離として算出するとともに、該リファレンス距離と前記超音波断層像の設定基準点間の距離である超音波距離とに基づいて、前記被検体の組織の音響特性に関する物理量を演算して表示手段に表示する音響特性評価手段とを備えてなることを特徴とする超音波診断装置。
【請求項２】
前記音響特性評価手段は、前記リファレンス距離と、前記超音波断層像の設定基準点間における反射エコー信号の振幅比とに基づいて、前記被検体の組織の音響特性に関する物理量を演算して前記表示手段に表示することを特徴とする請求項１に記載の超音波診断装置。
【請求項３】
前記音響特性に関する物理量は、前記リファレンス距離と前記超音波距離との比と、前記超音波断層像を撮像した際の超音波の設定音速とに基づいて演算される前記被検体の組織の音速、該音速と前記被検体の組織の密度とに基づいて演算される前記被検体の組織の弾性率、及び前記リファレンス距離と前記超音波断層像の設定基準点における反射エコー信号の振幅比と前記超音波断層像を撮像した際の超音波の設定周波数とに基づいて演算される前記被検体の組織の超音波の減衰定数、の少なくとも１つである請求項１又は２に記載の超音波診断装置。
【請求項４】
前記音響特性評価手段は、複数の対応する前記リファレンス距離と前記超音波距離、及び複数の対応する前記リファレンス距離と前記超音波断層像の設定基準点における反射エコー信号の振幅比、の少なくとも一方に基づいて、前記音響特性に関する物理量を複数演算し、各音響特性に関する物理量を前記表示手段に表示するか、或いは各音響特性に関する物理量の平均値又は中央値を前記表示手段に表示する請求項１又は２に記載の超音波診断装置。
【請求項５】
前記基準点設定手段は、前記表示手段に表示された前記リファレンス断層像及び前記超音波断層像上で、２組以上の対応する組織部位に基準点を入力する手段、前記表示手段に表示された前記リファレンス断層像及び前記超音波断層像上で、両断層像に含まれる前記被検体の関心部位の輪郭を入力する手段、及び前記関心部位の輪郭の検出処理を実行し、検出結果に基づいて輪郭を設定する手段の少なくとも一方である請求項１又は２に記載の超音波診断装置。
【請求項６】
前記音響特性評価手段は、演算された前記被検体の音響特性に関する物理量に基づいて、超音波の送信及び受信の少なくとも一方の遅延回路の遅延時間設定を変更する請求項１又は２に記載の超音波診断装置。
【請求項７】
前記音響特性評価手段は、演算された前記被検体の音響特性に関する物理量に基づいて階調化された音響特性画像を生成し、前記表示手段に表示する請求項１又は２に記載の超音波診断装置。
【請求項８】
前記画像撮像装置は、Ｘ線ＣＴ装置、磁気共鳴撮像装置、マンモグラフィー装置、ＰＥＴ装置、及びレントゲン装置のいずれかである請求項１又は２に記載の超音波診断装置。
【請求項９】
画像撮像装置により取得される被検体の関心部位を含むリファレンス３次元ボリュームデータを格納する記憶手段と、前記被検体の関心部位と同一の関心部位を含む超音波３次元ボリュームデータを撮像する超音波撮像手段と、前記リファレンス３次元ボリュームデータ及び超音波３次元ボリュームデータのそれぞれについて前記関心部位の体積を算出するとともに、算出された前記関心部位の体積の比に基づいて前記被検体の音響特性に関する物理量を演算して表示手段に表示する音響特性評価手段と、を備えてなる超音波診断装置。
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
店舗に設けられ、ユーザが所有する有価価値と交換可能な複数の景品の中から、交換を予約する景品の選択を前記ユーザから受け付ける予約受付手段と、該予約受付手段にて選択された景品を特定可能な予約要求を送信する予約要求送信手段と、を有する景品選択装置と、
前記予約要求送信手段から送信されてきた予約要求から特定される景品を前記ユーザに提供するための提供情報を登録するための提供情報登録処理を少なくとも含む予約処理を行う予約処理手段と、各景品の在庫数を管理する在庫数管理手段と、各景品について、前記予約処理に供された予約個数を集計する予約個数集計手段と、前記在庫数管理手段で管理している在庫数と、該予約個数集計手段にて集計された予約個数とに基づいて、前記景品の予約が可能であるか否かを判定する予約可否判定手段と、該予約可否判定手段により景品の予約が可能でないと判定されたことを条件として、該判定の対象となった景品の予約を停止するための予約停止情報を前記景品選択装置に送信する予約停止情報送信手段と、を有する景品管理装置と、を備え、
前記景品選択装置は、前記予約受付手段にて選択された景品に相当する有価価値を前記ユーザが所有する有価価値から減算するための減算処理を行う減算処理端末と別個に設けられ、該減算処理が行われたか否かに拘わらず、前記予約要求を送信する景品交換システムであって、
前記景品管理装置は、
前記提供情報登録処理にて登録された提供情報のうち、取消を希望する提供情報の指定を前記店舗から受け付ける取消指定受付手段と、
該取消指定受付手段にて指定を受け付けた提供情報に対応する景品の前記ユーザへの提供を停止するための処理を行う提供停止手段と、をさらに有することを特徴とする景品交換システム。
【請求項２】
請求項１に記載した景品交換システムであって、
前記景品管理装置は、前記在庫数管理手段で管理している在庫数の変更を受け付ける在庫数変更手段をさらに有し、
前記予約可否判定手段は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システム。
【請求項３】
店舗に設けられ、ユーザが所有する有価価値と交換可能な複数の景品の中から、交換を予約する景品の選択を前記ユーザから受け付ける予約受付手段と、該予約受付手段にて選択された景品を特定可能な予約要求を送信する予約要求送信手段と、を有する景品選択装置と、
前記予約要求送信手段から送信されてきた予約要求から特定される景品を前記ユーザに提供するための提供情報を登録するための提供情報登録処理を少なくとも含む予約処理を行う予約処理手段と、各景品の初期在庫数から前記予約処理に供された予約個数を減算した現在在庫数を管理する現在在庫数管理手段と、該現在在庫数に基づいて、前記景品の予約が可能であるか否かを判定する予約可否判定手段と、該予約可否判定手段により景品の予約が可能でないと判定されたことを条件として、該判定の対象となった景品の予約を停止するための予約停止情報を前記景品選択装置に送信する予約停止情報送信手段と、を有する景品管理装置と、を備え、
前記景品選択装置は、前記予約受付手段にて選択された景品に相当する有価価値を前記ユーザが所有する有価価値から減算するための減算処理を行う減算処理端末と別個に設けられ、該減算処理が行われたか否かに拘わらず、前記予約要求を送信する景品交換システムであって、
前記景品管理装置は、
前記提供情報登録処理にて登録された提供情報のうち、取消を希望する提供情報の指定を前記店舗から受け付ける取消指定受付手段と、
該取消指定受付手段にて指定を受け付けた提供情報に対応する景品の前記ユーザへの提供を停止するための処理を行う提供停止手段と、をさらに有することを特徴とする景品交換システム。
【請求項４】
請求項３に記載した景品交換システムであって、
前記景品管理装置は、
各景品の初期在庫数を管理する初期在庫数管理手段と、
該初期在庫数管理手段で管理している初期在庫数の変更を受け付ける在庫数変更手段と、
該在庫数変更手段にて初期在庫数の変更を受け付けたことを条件として、初期在庫数の変動数に基づいて、前記現在在庫数管理手段で管理している現在在庫数を更新する現在在庫数更新手段と、をさらに有し、
前記予約可否判定手段は、該現在在庫数更新手段にて現在在庫数が更新されたことを条件として、該更新された後の現在在庫数に基づいて、前記景品の予約が可能であるか否かを判定することを特徴とする景品交換システム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
店舗に設けられ、ユーザが所有する有価価値と交換可能な複数の景品を表示する表示手段と、該表示手段に表示される景品の中から、交換を予約する景品の選択を前記ユーザから受け付ける予約受付手段と、該予約受付手段にて選択された景品を特定可能な景品特定情報を含む予約要求を送信する予約要求送信手段と、を有する景品表示装置と、
該景品表示装置に表示される景品に関する情報を管理すると共に、前記予約要求送信手段から送信されてきた予約要求に含まれる景品特定情報から特定される景品を前記ユーザに提供するための提供処理を行う景品管理装置と、
を備える景品交換システムであって、
前記景品管理装置は、
所定数の景品が含まれる景品パッケージを複数設定する景品パッケージ設定手段と、
該景品パッケージ設定手段により設定された前記複数の景品パッケージのうち、前記店舗が希望する景品パッケージの選択を受け付ける景品パッケージ選択受付手段と、
該景品パッケージ選択受付手段にて選択された景品パッケージに含まれる景品を当該店舗に設けられる前記景品表示装置で表示するための処理を行う景品表示処理手段と、
前記複数の景品のうち、予約を停止する景品の指定を受け付ける予約停止景品受付手段と、
該予約停止景品受付手段にて指定を受け付けた景品の予約を停止するための予約停止情報を前記景品表示装置に送信する予約停止情報送信手段と、をさらに有することを特徴とする景品交換システム。
【請求項２】
請求項１に記載した景品交換システムであって、
前記景品管理装置は、
前記景品パッケージ設定手段により設定された前記景品パッケージに含まれる景品を更新する景品更新手段をさらに有し、
該景品更新手段により更新された景品を前記景品表示装置で表示するための処理を前記景品表示処理手段により行うことを特徴とする景品交換システム。
【請求項３】
請求項１又は２に記載した景品交換システムであって、
前記景品管理装置は、複数の景品提供業者から提供される景品に関する情報を管理し、
前記景品パッケージ設定手段は、前記複数の景品提供業者のうちの少なくとも一部の景品提供業者について、各景品提供業者毎に前記景品パッケージを設定し、
前記景品パッケージ選択受付手段は、前記店舗が希望する景品提供業者及び景品パッケージの選択を受け付けることを特徴とする景品交換システム。
【請求項４】
請求項１〜３のいずれか１つに記載した景品交換システムであって、
前記景品管理装置は、
前記予約要求を受信したことに基づいて、該予約要求に含まれる景品特定情報から特定される景品が前記予約停止景品受付手段にて指定を受け付けた景品であるか否かを判定する予約停止景品判定手段をさらに有し、
該予約停止景品判定手段により前記指定を受け付けた景品であると判定されたことを条件として、前記予約停止情報を前記予約停止情報送信手段により送信することを特徴とする景品交換システム。
【請求項５】
請求項４に記載した景品交換システムであって、
前記景品表示装置は、前記予約停止情報を受信したことに基づいて、前記予約停止景品受付手段にて指定を受け付けた景品を、前記表示手段に表示しないか、又は、選択不能に該表示手段に表示する処理を行うことを特徴とする景品交換システム。
【請求項６】
請求項１〜４のいずれか１つに記載した景品交換システムであって、
前記景品管理装置は、
前記景品表示装置に景品を表示するための景品情報を所定期間毎に該景品表示装置に送信する景品情報送信手段をさらに有し、
該景品情報送信手段は、前記予約停止景品受付手段にて指定を受け付けた景品の景品情報を除いた前記景品情報を送信することを特徴とする景品交換システム。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
店舗に設けられ、ユーザが所有する有価価値と交換可能な複数の景品を表示する表示手段と、該表示手段に表示される景品の中から、交換を予約する景品の選択を前記ユーザから受け付ける予約受付手段と、該予約受付手段にて選択された景品を特定可能な景品特定情報を含む予約要求を送信する予約要求送信手段と、を有する景品表示装置と、
前記予約要求送信手段から送信されてきた予約要求に含まれる景品特定情報から特定される景品を前記ユーザに提供するための予約処理を行う予約処理手段と、各景品の在庫数を管理する在庫数管理手段と、各景品について、前記予約処理に供された予約個数を集計する予約個数集計手段と、前記在庫数管理手段で管理している在庫数と、該予約個数集計手段にて集計された予約個数とに基づいて、前記景品の予約が可能であるか否かを判定する予約可否判定手段と、該予約可否判定手段により景品の予約が可能でないと判定されたことを条件として、該判定の対象となった景品の予約を停止するための予約停止情報を前記景品表示装置に送信する予約停止情報送信手段と、を有する景品管理装置と、
を備える景品交換システムであって、
前記景品管理装置は、
所定数の景品が含まれる景品パッケージを複数設定する景品パッケージ設定手段と、
該景品パッケージ設定手段により設定された前記複数の景品パッケージのうち、前記店舗が希望する景品パッケージの選択を受け付ける景品パッケージ選択受付手段と、
該景品パッケージ選択受付手段にて選択された景品パッケージに含まれる景品を当該店舗に設けられる前記景品表示装置で表示するための処理を行う景品表示処理手段と、をさらに有することを特徴とする景品交換システム。
【請求項２】
請求項１に記載した景品交換システムであって、
前記景品管理装置は、前記在庫数管理手段で管理している在庫数の変更を受け付ける在庫数変更手段をさらに有し、
前記予約可否判定手段は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システム。
【請求項３】
店舗に設けられ、ユーザが所有する有価価値と交換可能な複数の景品を表示する表示手段と、該表示手段に表示される景品の中から、交換を予約する景品の選択を前記ユーザから受け付ける予約受付手段と、該予約受付手段にて選択された景品を特定可能な景品特定情報を含む予約要求を送信する予約要求送信手段と、を有する景品表示装置と、
前記予約要求送信手段から送信されてきた予約要求に含まれる景品特定情報から特定される景品を前記ユーザに提供するための予約処理を行う予約処理手段と、各景品の初期在庫数から前記予約処理に供された予約個数を減算した現在在庫数を管理する現在在庫数管理手段と、該現在在庫数に基づいて、前記景品の予約が可能であるか否かを判定する予約可否判定手段と、該予約可否判定手段により景品の予約が可能でないと判定されたことを条件として、該判定の対象となった景品の予約を停止するための予約停止情報を前記景品表示装置に送信する予約停止情報送信手段と、を有する景品管理装置と、
を備える景品交換システムであって、
前記景品管理装置は、
所定数の景品が含まれる景品パッケージを複数設定する景品パッケージ設定手段と、
該景品パッケージ設定手段により設定された前記複数の景品パッケージのうち、前記店舗が希望する景品パッケージの選択を受け付ける景品パッケージ選択受付手段と、
該景品パッケージ選択受付手段にて選択された景品パッケージに含まれる景品を当該店舗に設けられる前記景品表示装置で表示するための処理を行う景品表示処理手段と、をさらに有することを特徴とする景品交換システム。
【請求項４】
請求項３に記載した景品交換システムであって、
前記景品管理装置は、
各景品の初期在庫数を管理する初期在庫数管理手段と、
該初期在庫数管理手段で管理している初期在庫数の変更を受け付ける在庫数変更手段と、
該在庫数変更手段にて初期在庫数の変更を受け付けたことを条件として、初期在庫数の変動数に基づいて、前記現在在庫数管理手段で管理している現在在庫数を更新する現在在庫数更新手段と、をさらに有し、
前記予約可否判定手段は、該現在在庫数更新手段にて現在在庫数が更新されたことを条件として、該更新された後の現在在庫数に基づいて、前記景品の予約が可能であるか否かを判定することを特徴とする景品交換システム。
【請求項５】
請求項１〜４のいずれか１つに記載した景品交換システムであって、
前記景品管理装置は、
前記景品パッケージ設定手段により設定された前記景品パッケージに含まれる景品を更新する景品更新手段をさらに有し、
該景品更新手段により更新された景品を前記景品表示装置で表示するための処理を前記景品表示処理手段により行うことを特徴とする景品交換システム。
【請求項６】
請求項１〜５のいずれか１つに記載した景品交換システムであって、
前記景品管理装置は、複数の景品提供業者から提供される景品に関する情報を管理し、
前記景品パッケージ設定手段は、前記複数の景品提供業者のうちの少なくとも一部の景品提供業者について、各景品提供業者毎に前記景品パッケージを設定し、
前記景品パッケージ選択受付手段は、前記店舗が希望する景品提供業者及び景品パッケージの選択を受け付けることを特徴とする景品交換システム。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
基部にブラシ毛が形成された清掃体を芯棒に螺旋状に巻き付けてなる回転清掃体の、前記清掃体の巻き始め及び／又は巻き終わりの端部と前記芯棒とを固定する固定部材であって、該固定部材は、前記芯棒が挿通可能な挿通孔と、前記清掃体の端部の外周を覆うキャップ部とを有することを特徴とする固定部材。
【請求項２】
固定部材の挿通孔が設けられた面の外側に、該挿通孔と一体的に連なった窓部を複数設け、隣接する該窓部間に嵌合片を形成し、キャップ部の内径を芯棒の外径よりも大きくしたことを特徴とする請求項１に記載の固定部材。
【請求項３】
挿通孔の仮想円の直径は、芯棒の直径よりも小さいことを特徴とする請求項２に記載の固定部材。
【請求項４】
キャップ部の内周に清掃体の巻き始めと巻き終わりの端部を芯棒の軸芯方向へ押さえ付けるリブを設けたことを特徴とする請求項１〜３のいずれか１項に記載の固定部材。
【請求項５】
固定部材は、可撓性を有する合成樹脂材からなることを特徴とする請求項１〜４のいずれか１項に記載の固定部材。
【請求項６】
請求項１〜５のいずれか１項に記載の固定部材を備えた回転清掃体。
【手続補正２】
【補正対象書類名】明細書
【補正対象項目名】０００６
【補正方法】変更
【補正の内容】
【０００６】
請求項１の発明は、基部にブラシ毛が形成された清掃体を芯棒に螺旋状に巻き付けてなる回転清掃体の、前記清掃体の巻き始め及び／又は巻き終わりの端部と前記芯棒とを固定する固定部材であって、該固定部材は、前記芯棒が挿通可能な挿通孔と、前記清掃体の端部の外周を覆うキャップ部とを有することに特徴を有する。したがって、挿通孔によって芯棒を挿通させることができるので、芯棒の中間部に清掃体の端部が位置する場合でも対応できる。また、キャップ部によって清掃体の端部の外周を覆うことによって、清掃体の端部が芯棒から剥がれるのを防止することができる。
【手続補正３】
【補正対象書類名】明細書
【補正対象項目名】０００８
【補正方法】変更
【補正の内容】
【０００８】
請求項３の発明は、請求項２の発明において、挿通孔の仮想円の直径は、芯棒の直径よりも小さいことに特徴を有する。したがって、固定部材は、芯棒の挿通時に、挿通孔と一体的に連なった窓部方向に拡張するように変形して芯棒に固定されることから、固定部材の芯棒への固定が確実なものとなる。
【手続補正４】
【補正対象書類名】明細書
【補正対象項目名】０００９
【補正方法】変更
【補正の内容】
【０００９】
請求項４の発明は、請求項１〜３のいずれかの発明において、キャップ部の内周に清掃体の巻き始めと巻き終わりの端部を芯棒の軸芯方向へ押さえ付けるリブを設けたことに特徴を有する。したがって、清掃体を芯棒に対して螺旋状に巻き付けた場合に、固定部材を挿入する時に清掃体の巻き付け方向に捩りながら挿入すればリブが清掃体に接触して確実に清掃体を芯棒に密着させることができる。
【手続補正５】
【補正対象書類名】明細書
【補正対象項目名】００１０
【補正方法】変更
【補正の内容】
【００１０】
請求項５の発明は、請求項１〜４のいずれかの発明において、固定部材は、可撓性を有する合成樹脂材からなることに特徴を有する。したがって、芯棒を挿通する時に一時的に変形し易いことから、芯棒への固定部材の作業が容易となる。
【手続補正６】
【補正対象書類名】明細書
【補正対象項目名】００１１
【補正方法】変更
【補正の内容】
【００１１】
請求項６の発明は、請求項１〜５のいずれかに記載の固定部材を備えた回転清掃体に特徴を有する。したがって、固定部材により清掃体の端部が固定された回転清掃体は、空気清浄機や、掃除機や、洗濯乾燥機や、瓶、缶等の洗浄用の回転清掃体として使用する場合に、使用回数が増えても清掃体の端部が芯棒から剥がれてくるのを防ぐことができる。
【手続補正７】
【補正対象書類名】明細書
【補正対象項目名】００１２
【補正方法】変更
【補正の内容】
【００１２】
請求項１の発明では、清掃体の両端部を芯棒に確実に固定することができる。また、請求項２の発明では、窓部によって、清掃体の端部の位置の確認と、接着剤の塗布とを行うことができる。さらに、請求項３の発明では、固定部材の芯棒への固定を確実なものとすることができる。また、請求項４の発明では、清掃体を芯棒に確実に密着させることができる。さらに、請求項５の発明では、固定部材を変形させることができる。また、請求項６の発明では、空気清浄機や、掃除機や、洗濯乾燥機や、瓶、缶等の洗浄用として使用する回転清掃体は、使用回数が増えても清掃体の端部が芯棒から剥がれてくるのを防ぐことができる。